【手続補正書】
【提出日】平成29年12月22日(2017.12.22)
【手続補正１】
【補正対象書類名】特許請求の範囲
【補正対象項目名】全文
【補正方法】変更
【補正の内容】
【特許請求の範囲】
【請求項１】
左心耳結紮糸との使用のための結紮糸送達システムであって、前記結紮糸送達システムは、
近位部および遠位部を有する細長い支持機構と、
前記細長い支持機構の遠位部と結合されている可撓性フープアセンブリであって、前記可撓性フープアセンブリは、支持フレームと結合されている支持本体を備え、前記支持フレームは、前記支持本体を後置構成において保持するように付勢され、それによって、前記支持本体の遊離部は、前記細長い支持機構の遠位部の近位に配置されている、可撓性フープアセンブリと、
緊締可能締め付け部材と
を備え、
前記可撓性フープアセンブリの支持フレームは、前記細長い支持機構の遠位部と結合され、
前記支持本体は、前記緊締可能締め付け部材と前記左心耳結紮糸のループとを支持するように構成されている、結紮糸送達システム。
【請求項２】
前記左心耳の周りに前記緊締可能締め付け部材を緊締する締め付け部材制御機構をさらに備えている、請求項１に記載の結紮糸送達システム。
【請求項３】
前記左心耳の周りに前記左心耳結紮糸を緊締する結紮糸制御機構をさらに備えている、請求項１に記載の結紮糸送達システム。
【請求項４】
前記細長い支持機構に対して枢動するデフレクタ本体をさらに備え、前記可撓性フープアセンブリの支持フレームは、前記デフレクタ本体を介して前記細長い支持機構の遠位部と結合されている、請求項１に記載の結紮糸送達システム。
【請求項５】
前記デフレクタ本体と連動する変位制御機構をさらに備え、その結果、前記変位制御機構の作動は、前記デフレクタ本体を前記細長い支持機構に対して枢動させる、請求項４に記載の結紮糸送達システム。
【請求項６】
視覚化機構を受け取るように適合された管腔をさらに備えている、請求項１に記載の結紮糸送達システム。
【請求項７】
結紮糸ループを患者の左心耳に送達するための結紮糸送達システムであって、前記結紮糸送達システムは、
前記患者の左心耳に向かって前進させられるように構成されている細長い支持機構と、
前記細長い支持機構の遠位部と結合されている可撓性フープアセンブリであって、前記可撓性フープアセンブリは、後置構成において配置されている、可撓性フープアセンブリと、
前記左心耳を締め付けるように、前記左心耳の周りに緊締されるように構成されている緊締可能締め付け部材と
を備え、
前記結紮糸ループは、前記可撓性フープアセンブリから前記締め付けられた左心耳に送達されるように構成されている、結紮糸送達システム。
【請求項８】
作動させられるように構成されている締め付け部材制御機構をさらに備えている、請求項７に記載の結紮糸送達システム。
【請求項９】
前記可撓性フープアセンブリは、支持フレームと結合されている支持本体を備え、前記支持フレームは、前記可撓性フープアセンブリを前記後置構成において保持するために付勢されるように構成され、それによって、前記支持本体の遊離部は、前記細長い支持機構の遠位部の近位に配置されている、請求項７に記載の結紮糸送達システム。
【請求項１０】
前記可撓性フープアセンブリは、デフレクタ本体を介して前記細長い支持機構の遠位部と結合され、前記デフレクタ本体は、前記細長い支持機構に対して枢動されるように構成されている、請求項７に記載の結紮糸送達システム。
【請求項１１】
前記デフレクタ本体と連動する変位制御機構をさらに備え、前記変位制御機構は、前記デフレクタ本体を前記細長い支持機構に対して枢動させるために、作動させられるように構成されている、請求項１０に記載の結紮糸送達システム。
【請求項１２】
視覚化機構を受け取る管腔をさらに備え、前記左心耳は、前記視覚化機構を用いて視覚化される、請求項７に記載の結紮糸送達システム。
【請求項１３】
吸引機構をさらに備え、吸引は、吸引源から前記患者の左心耳へ伝達される、請求項７に記載の結紮糸送達システム。
【請求項１４】
前記吸引機構は、吸引ポッドを備え、前記患者の左心耳の組織は、前記吸引ポッドの中に引き込まれる、請求項１３に記載の結紮糸送達システム。
【請求項１５】
左心耳結紮糸との使用のための結紮糸送達システムであって、前記結紮糸送達システムは、
細長い支持機構と、
前記細長い支持機構と結合されている可撓性フープアセンブリであって、前記可撓性フープアセンブリは、後置構成に付勢され、それによって、前記可撓性フープアセンブリの遊離部は、前記細長い支持機構の遠位部の近位に配置されている、可撓性フープアセンブリと、
緊締可能締め付け部材と
を備え、
前記可撓性フープアセンブリは、前記緊締可能締め付け部材と前記左心耳結紮糸のループとを支持するように構成されている、結紮糸送達システム。
【請求項１６】
前記可撓性フープアセンブリは、前記緊締可能締め付け部材を受け取るように構成されている溝を備えている、請求項１５に記載の結紮糸送達システム。
【請求項１７】
前記溝の一部は、前記緊締可能締め付け部材によって加えられる緊締力に応答して、柔軟に形を崩すフラップによって画定されている、請求項１６に記載の結紮糸送達システム。
【請求項１８】
前記可撓性フープアセンブリは、前記左心耳結紮糸のループを受け取るように構成されているチャネルを備えている、請求項１５に記載の結紮糸送達システム。
【請求項１９】
前記チャネルの一部は、前記左心耳結紮糸のループによって加えられる緊締力に応答して、柔軟に形を崩すフラップによって画定されている、請求項１８に記載の結紮糸送達システム。
【請求項２０】
吸引源から患者の左心耳へ吸引を伝達するように構成されている吸引機構をさらに備えている、請求項１５に記載の結紮糸送達システム。
【手続補正２】
【補正対象書類名】明細書
【補正対象項目名】００１４
【補正方法】変更
【補正の内容】
【００１４】
本発明の性質および利点のより完全な理解のために、付随の図面と併せて検討される、続く詳細な説明が、参照されるべきである。
本願明細書は、例えば、以下の項目も提供する。
（項目１）
左心耳結紮糸との使用のための結紮糸送達システムであって、前記結紮糸送達システムは、
近位部および遠位部を有する細長い支持機構と、
前記細長い支持機構の遠位部と結合されている可撓性フープアセンブリであって、前記可撓性フープアセンブリは、支持フレームと結合されている支持本体を備え、前記支持フレームは、前記支持本体を後置構成において保持するように付勢され、それによって、前記支持本体の遊離部は、前記細長い支持機構の遠位部の近位に配置されている、可撓性フープアセンブリと、
緊締可能締め付け部材と
を備え、
前記可撓性フープアセンブリの支持フレームは、前記細長い支持機構の遠位部と結合され、
前記支持本体は、前記緊締可能締め付け部材と前記左心耳結紮糸のループとを支持するように構成されている、結紮糸送達システム。
（項目２）
前記左心耳の周りに緊締可能締め付け部材を緊締する締め付け部材制御機構をさらに備えている、項目１に記載の結紮糸送達システム。
（項目３）
前記左心耳の周りに前記左心耳結紮糸を緊締する結紮糸制御機構をさらに備えている、項目１に記載の結紮糸送達システム。
（項目４）
前記細長い支持機構に対して枢動するデフレクタ本体をさらに備え、前記可撓性フープアセンブリの支持フレームは、前記デフレクタ本体を介して前記細長い支持機構の遠位部と結合されている、項目１に記載の結紮糸送達システム。
（項目５）
前記デフレクタ本体と連動する変位制御機構をさらに備え、前記変位制御機構の作動は、前記デフレクタ本体を前記細長い支持機構に対して枢動させる、項目４に記載の結紮糸送達システム。
（項目６）
視覚化機構を受け取るように適合された管腔をさらに備えている、項目１に記載の結紮糸送達システム。
（項目７）
結紮糸ループを患者の左心耳に送達する方法であって、前記方法は、
結紮糸送達システムの細長い支持機構を前記患者の左心耳に向かって前進させることであって、前記結紮糸送達システムは、前記細長い支持機構の遠位部と結合されている可撓性フープアセンブリを含み、前記可撓性フープアセンブリは、後置構成において配置されている、ことと、
前記左心耳を締め付けるように、前記左心耳の周りに緊締可能締め付け部材を緊締することと、
前記結紮糸ループを前記可撓性フープアセンブリから前記締め付けられた左心耳に送達することと
を含む、方法。
（項目８）
前記左心耳の周りに前記緊締可能締め付け部材を緊締するステップは、前記結紮糸送達システムの締め付け部材制御機構を作動させることを含む、項目７に記載の方法。
（項目９）
前記可撓性フープアセンブリは、支持フレームと結合されている支持本体を備え、前記支持フレームは、前記可撓性フープアセンブリを前記後置構成において保持するように付勢され、それによって、前記支持本体の遊離部は、前記細長い支持機構の遠位部の近位に配置されている、項目７に記載の方法。
（項目１０）
前記可撓性フープアセンブリは、デフレクタ本体を介して前記細長い支持機構の遠位部と結合され、前記方法は、前記結紮糸送達システムのデフレクタ本体を前記細長い支持機構に対して枢動させることをさらに含む、項目７に記載の方法。
（項目１１）
前記結紮糸送達システムは、前記デフレクタ本体と連動する変位制御機構を備え、前記方法は、前記デフレクタ本体を前記細長い支持機構に対して枢動させるように、前記変位制御機構を作動させることをさらに含む、項目１０に記載の方法。
（項目１２）
前記結紮糸送達システムは、視覚化機構を受け取る管腔を備え、前記方法は、前記視覚化機構を用いて前記左心耳を視覚化することをさらに含む、項目７に記載の方法。
（項目１３）
前記結紮糸送達システムは、吸引機構を備え、前記方法は、吸引源から前記患者の左心耳へ吸引を伝達することをさらに含む、項目７に記載の方法。
（項目１４）
前記吸引機構は、吸引ポッドを備え、前記方法は、前記患者の左心耳の組織を、前記吸引ポッドの中に引き込むことをさらに含む、項目１３に記載の方法。
（項目１５）
左心耳結紮糸との使用のための結紮糸送達システムであって、前記結紮糸送達システムは、
細長い支持機構と、
前記細長い支持機構と結合されている可撓性フープアセンブリであって、前記可撓性フープアセンブリは、後置構成に付勢され、それによって、前記可撓性フープアセンブリの遊離部は、前記細長い支持機構の遠位部の近位に配置されている、可撓性フープアセンブリと、
緊締可能締め付け部材と
を備え、
前記可撓性フープアセンブリは、前記緊締可能締め付け部材と前記左心耳結紮糸のループとを支持するように構成されている、結紮糸送達システム。
（項目１６）
前記可撓性フープアセンブリは、前記緊締可能締め付け部材を受け取るように構成されている溝を備えている、項目１５に記載の結紮糸送達システム。
（項目１７）
前記溝の一部は、前記緊締可能締め付け部材によって加えられる緊締力に応答して、柔軟に形を崩すフラップによって画定されている、項目１６に記載の結紮糸送達システム。
（項目１８）
前記可撓性フープアセンブリは、前記左心耳結紮糸のループを受け取るように構成されているチャネルを備えている、項目１５に記載の結紮糸送達システム。
（項目１９）
前記チャネルの一部は、前記左心耳結紮糸のループによって加えられる緊締力に応答して、柔軟に形を崩すフラップによって画定されている、項目１８に記載の結紮糸送達システム。
（項目２０）
吸引源から患者の左心耳へ吸引を伝達するように構成されている吸引機構をさらに備えている、項目１５に記載の結紮糸送達システム。